(57)【特許請求の範囲】
【請求項１】
硬貨が通過する硬貨通過経路に配置され、通過する硬貨の識別要素を磁気的に測定する硬貨識別用磁気アレイセンサであって、
前記硬貨通過経路を通過する硬貨の表面に沿って並ぶ複数の磁気ヘッドと、
各磁気ヘッドに巻装されたコイルと、
各コイルにそれぞれコンデンサを接続して構成される複数の共振回路と、
各共振回路を所定の順番で間欠的に駆動させる共振回路順次駆動手段と、
駆動後に各共振回路から出力される振動減衰波の位相及び振幅を測定する位相振幅測定手段と、
振動減衰波の位相及び振幅を測定した後、当該共振回路が次回駆動されるまでの間、当該共振回路の一端側又は中間部を開放、又は当該共振回路の一端側又は中間部をプルダウン抵抗に接続させることで他の共振回路との磁気干渉を規制する磁気干渉規制手段と、
各共振回路に係る振動減衰波の位相測定値及び振幅測定値を出力する測定値出力手段と、を備え、
前記位相振幅測定手段は、駆動後に共振回路から出力される振動減衰波の波数をカウントし、該カウント数が所定数に達するまでの時間に基づいて当該振動減衰波の位相を測定することを特徴とする硬貨識別用磁気アレイセンサ。
【請求項２】
前記磁気干渉規制手段は、振動減衰波の位相及び振幅を測定した後、当該共振回路の一端側又は中間部をプルダウン抵抗に接続させて当該共振回路の残留エネルギーを除去し、その後、当該共振回路の一端側又は中間部を開放させることを特徴とする請求項１に記載の硬貨識別用磁気アレイセンサ。
【請求項３】
前記共振回路順次駆動手段は、共振回路を駆動させる前に、当該共振回路の一端側又は中間部をグランド又はプルダウン抵抗に接続させて当該共振回路の初期バイアス電圧を除去することを特徴とする請求項１又は２に記載の硬貨識別用磁気アレイセンサ。
【請求項４】
前記共振回路順次駆動手段は、駆動させる共振回路の一端側を、所定時間電源に接続して当該共振回路を駆動させた後、グランドに接続して当該共振回路から振動減衰波を出力させることを特徴とする請求項１〜３のいずれか一項に記載の硬貨識別用磁気アレイセンサ。
【請求項５】
前記共振回路順次駆動手段は、隣接しない磁気ヘッドの共振回路を順次駆動させることを特徴とする請求項１〜４のいずれか一項に記載の硬貨識別用磁気アレイセンサ。
【発明の詳細な説明】
【技術分野】
【０００１】
本発明は、硬貨の識別に用いる磁気アレイセンサに関する。
【背景技術】
【０００２】
硬貨が通過する硬貨通過経路に配置され、通過する硬貨の識別要素を磁気的に測定する硬貨識別用磁気アレイセンサが提案されている。この種の硬貨識別用磁気アレイセンサによって磁気的に測定可能な硬貨の識別要素としては、材質、直径、孔の有無、厚さ、表面形状などがあり、例えば、特許文献１では、硬貨の表面形状を検出する磁気アレイセンサが提案されている。
【先行技術文献】
【特許文献】
【０００３】
【特許文献１】特開平１１−２５０３０３号公報
【発明の概要】
【発明が解決しようとする課題】
【０００４】
従来、硬貨の識別に用いる磁気ヘッドとしては、励磁コイルと検出コイルを同じコアに巻装するものと、励磁コイルと検出コイルを別々のコアに巻装し、コア同士を硬貨通過経路を介して対向配置するものとが知られている。
【０００５】
前者では、励磁コイルを発振回路で常時駆動しつつ、検出コイルから出力される振動波の振幅変化を硬貨の識別要素として測定しているが、励磁コイル側を連続駆動しているため、検出コイル側の振幅変化が微小であり、その結果、アンプによる増幅率が高くなり、ノイズなどの影響を受けやすいという問題がある。また、前者では、励磁コイルと検出コイルがコアを介して磁気的に結合しているので、検出コイルから出力される振動波は位相が一定であり、振動波の位相変化を硬貨の識別要素として利用することが困難である。そのため識別要素が不足し、特に硬貨の材質を高精度に識別することが困難であった。
【０００６】
一方、後者では、励磁コイルのコアと検出コイルのコアが分離されているので、検出コイルから出力される振動波は、通過する硬貨に応じて振幅及び位相が変化することになり、振動波の振幅変化及び位相変化を硬貨の識別要素として利用することが可能であるが、励磁コイル側を連続駆動しているため、検出コイル側の位相変化が微小であり、その結果、励磁コイル側と検出コイル側の位相の差分をアンプで増幅するにあたり、アンプによる増幅率が高くなり、ノイズなどの影響を受けやすいという問題がある。また、後者では、振動波の振幅変化に関しては、コアの分離に起因し、前者よりもゲインが低下するという問題がある。
【課題を解決するための手段】
【０００７】
本発明は、上記の如き実情に鑑みこれらの課題を解決することを目的として創作されたものであって、請求項１の発明は、硬貨が通過する硬貨通過経路に配置され、通過する硬貨の識別要素を磁気的に測定する硬貨識別用磁気アレイセンサであって、前記硬貨通過経路を通過する硬貨の表面に沿って並ぶ複数の磁気ヘッドと、各磁気ヘッドに巻装されたコイルと、各コイルにそれぞれコンデンサを接続して構成される複数の共振回路と、各共振回路を所定の順番で間欠的に駆動させる共振回路順次駆動手段と、駆動後に各共振回路から出力される振動減衰波の位相及び振幅を測定する位相振幅測定手段と、振動減衰波の位相及び振幅を測定した後、当該共振回路が次回駆動されるまでの間、当該共振回路の一端側又は中間部を開放、又は当該共振回路の一端側又は中間部をプルダウン抵抗に接続させることで他の共振回路との磁気干渉を規制する磁気干渉規制手段と、各共振回路に係る振動減衰波の位相測定値及び振幅測定値を出力する測定値出力手段と、を備え、前記位相振幅測定手段は、駆動後に共振回路から出力される振動減衰波の波数をカウントし、該カウント数が所定数に達するまでの時間に基づいて当該振動減衰波の位相を測定することを特徴とする。
また、請求項２の発明は、請求項１に記載の硬貨識別用磁気アレイセンサであって、前記磁気干渉規制手段は、振動減衰波の位相及び振幅を測定した後、当該共振回路の一端側又は中間部をプルダウン抵抗に接続させて当該共振回路の残留エネルギーを除去し、その後、当該共振回路の一端側又は中間部を開放させることを特徴とする。
また、請求項３の発明は、請求項１又は２に記載の硬貨識別用磁気アレイセンサであって、前記共振回路順次駆動手段は、共振回路を駆動させる前に、当該共振回路の一端側又は中間部をグランド又はプルダウン抵抗に接続させて当該共振回路の初期バイアス電圧を除去することを特徴とする。
また、請求項４の発明は、請求項１〜３のいずれか一項に記載の硬貨識別用磁気アレイセンサであって、前記共振回路順次駆動手段は、駆動させる共振回路の一端側を、所定時間電源に接続して当該共振回路を駆動させた後、グランドに接続して当該共振回路から振動減衰波を出力させることを特徴とする。
また、請求項５の発明は、請求項１〜４のいずれか一項に記載の硬貨識別用磁気アレイセンサであって、前記共振回路順次駆動手段は、隣接しない磁気ヘッドの共振回路を順次駆動させることを特徴とする。
【発明の効果】
【０００８】
請求項１の発明によれば、複数の磁気ヘッドに巻装されたコイルにそれぞれコンデンサを接続して複数の共振回路を構成し、各共振回路を所定の順番で間欠的に駆動させ、駆動後に各共振回路から出力される振動減衰波の位相変化及び振幅変化を硬貨の識別に利用するので、硬貨の識別精度を飛躍的に高めることができる。すなわち、駆動後に各共振回路から出力される振動減衰波は、駆動信号に影響されることなく、通過する硬貨の磁気特性に応じた位相及び振幅で自由に振動するので、振動減衰波の位相変化及び振幅変化に基づいて硬貨の磁気特性を高精度に測定し、当該硬貨を高精度に識別することが可能になる。また、振動減衰波の位相及び振幅を測定した後、当該共振回路が次回駆動されるまでの間、当該共振回路と他の共振回路との磁気干渉を規制するので、磁気干渉に起因する測定精度の低下も回避できる。また、駆動後に共振回路から出力される振動減衰波の波数をカウントし、該カウント数が所定数に達するまでの時間に基づいて当該振動減衰波の位相を測定するので、高精度な位相測定が要求される場合は、カウント数を多くし、位相変化を蓄積してから測定する一方、応答性が優先される場合は、カウント数を少なくするなど、要求に応じて測定精度や応答性を容易に変更することが可能になる。
また、請求項２の発明によれば、振動減衰波の位相及び振幅を測定した後、当該共振回路の一端側又は中間部をプルダウン抵抗に接続させて当該共振回路の残留エネルギーを除去するので、残留エネルギーによる測定精度の低下を回避できる。
また、請求項３の発明によれば、共振回路を駆動させる前に、当該共振回路の一端側又は中間部をグランド又はプルダウン抵抗に接続させて当該共振回路の初期バイアス電圧を除去するので、初期バイアス電圧による測定精度の低下を回避できる。
また、請求項４の発明によれば、駆動させる共振回路の一端側を、所定時間電源に接続して当該共振回路を駆動させた後、グランドに接続して当該共振回路から振動減衰波を出力させるので、駆動用コイルを別途設ける必要がない。
また、請求項５の発明によれば、隣接しない磁気ヘッドの共振回路を順次駆動させるので、共振回路同士の磁気干渉をより確実に防止することが可能になる。
【図面の簡単な説明】
【０００９】
【図１】本発明の実施形態に係る硬貨識別用磁気アレイセンサの構成を示すブロック図である。
【図２】（ａ）は磁気ヘッドアレイの平面図、（ｂ）は磁気ヘッドアレイの正面図、（ｃ）は磁気ヘッドアレイの側面図である。
【図３】検出回路の回路図である。
【図４】磁気ヘッドの駆動順序を示すタイミングチャートである。
【図５】測定原理を説明するための波形図である。
【図６】メインルーチンを示すフローチャートである。
【図７】位相測定ルーチンを示すフローチャートである。
【図８】振幅測定ルーチンを示すフローチャートである。
【発明を実施するための形態】
【００１０】
以下、本発明の実施の形態について、図面に基づいて説明する。
【００１１】
［硬貨識別用磁気アレイセンサ］
図１は、本発明の実施形態に係る硬貨識別用磁気アレイセンサの構成を示すブロック図であり、図２の（ａ）は磁気ヘッドアレイの平面図、（ｂ）は磁気ヘッドアレイの正面図、（ｃ）は磁気ヘッドアレイの側面図である。
本発明の実施形態に係る硬貨識別用磁気アレイセンサ１は、硬貨２が通過する硬貨通過経路３に配置され、通過する硬貨２の識別要素を磁気的に測定するように構成される。磁気的に測定可能な硬貨２の識別要素としては、硬貨２の材質、直径、孔の有無、厚さ、表面形状などがあり、本実施形態では、硬貨２の材質、直径、孔の有無及び厚さを測定対象とする。
【００１２】
図１に示すように、本実施形態の硬貨識別用磁気アレイセンサ１は、硬貨通過経路３を通過する硬貨２の表面に沿って並ぶ複数の磁気ヘッド４と、各磁気ヘッド４に接続される複数の検出回路５と、複数の検出回路５に接続されるマイコン６とを備える。
【００１３】
［磁気ヘッドアレイ］
図２に示すように、硬貨通過経路３は、硬貨２の外周面が転がりながら接触する下面３ａと、その対向面である上面３ｂと、硬貨２の一方の表面が摺接する一側面３ｃと、その対向面である他側面３ｄとにより囲まれている。複数の磁気ヘッド４のうち、６つの磁気ヘッド４（ＣＨ１〜ＣＨ６）は、硬貨通過経路３の一側面３ｃに沿い、且つ、下面３ａ側から上面側３ｂに向かって並ぶように配置され、残り１つの磁気ヘッド４（ＣＨ７）は、硬貨通過経路３の他側面３ｄに沿い、且つ、下面３ａの近傍に位置するように配置される。
【００１４】
ＣＨ１の磁気ヘッド４は、通過する硬貨２の中心線位置（磁気ヘッド４の配列中心線と硬貨２の中心線とが一致するタイミング）を検出するために設けられており、検出値のピーク位置が硬貨２の中心線位置であると判断される。そのためＣＨ１の磁気ヘッド４は、検出値の飽和を回避するために、硬貨通過経路３に対して略半分だけが対向するように配置される。
【００１５】
ＣＨ２〜ＣＨ６の磁気ヘッド４は、硬貨２の材質、孔の有無及び直径を検出するために設けられており、例えば、ＣＨ２の磁気ヘッド４は、主に硬貨２の材質を検出し、ＣＨ３及びＣＨ４の磁気ヘッド４は、主に硬貨２の孔を検出し、ＣＨ５及びＣＨ６の磁気ヘッド４は、主に硬貨２の直径を検出する。
【００１６】
ＣＨ７の磁気ヘッド４は、硬貨２の厚さを検出するために設けられており、実際には硬貨２との距離を検出する。なお、ＣＨ７の磁気ヘッド４は、選択的に追加されるオプションであり、要求される硬貨識別精度が高い場合に追加される。
【００１７】
各磁気ヘッド４は、フェライト、パーマロイなどで形成されるコア４ａにコイル４ｂを巻装して構成されている。コア４ａの材質、形状、コイル４ｂの径、巻数などは、本発明において限定されず、硬貨２の識別用として適正であればよい。例えば、小型でコイル巻数が多いチップインダクタ（巻線タイプ）を磁気ヘッド４として用いることができる。
【００１８】
なお、本実施形態では、後述するようにコイル４ｂを所定時間電源ＶＣＣに接続して駆動させるが、コア４ａに駆動用コイルを別途巻装し、コア４ａを介した電磁誘導でコイル４ｂを駆動させてもよい。ただし、この場合には、コイル本数が増えるだけでなく、駆動用コイルの空間確保によってコイル４ｂの巻数が減少するため、磁気ヘッド４のコストが上昇したり検出精度が低下する虞がある。
【００１９】
［検出回路］
図３は、検出回路の回路図である。
図３に示すように、磁気ヘッド４毎に設けられる各検出回路５は、磁気ヘッド４のコイル４ｂにコンデンサＣを直列接続して構成される共振回路７を備える。共振回路７の一端側は、マイコン６でＯＮ／ＯＦＦされるスイッチ素子８、９、１０を介して、電源ＶＣＣ、プルダウン抵抗１１又はグランドに選択的に接続され、共振回路７の他端側は、グランドに接続され、共振回路７の中間部は、マイコン６の入力ポートに接続されている。
【００２０】
［測定原理］
図４は、磁気ヘッドの駆動順序を示すタイミングチャート、図５は、測定原理を説明するための波形図である。
マイコン６は、予めＲＯＭに書き込まれるプログラムとの協働により実現される機能的な構成として、共振回路順次駆動手段と、位相振幅測定手段と、磁気干渉規制手段と、測定値出力手段とを備える。
【００２１】
共振回路順次駆動手段は、各共振回路７を所定の順番で間欠的に駆動させる。位相振幅測定手段は、駆動後に各共振回路７から出力される振動減衰波の位相及び振幅を測定する。磁気干渉規制手段は、振動減衰波の位相及び振幅を測定した後、当該共振回路７が次回駆動されるまでの間、当該共振回路７と他の共振回路７との磁気干渉を規制する。測定値出力手段は、各共振回路７に係る振動減衰波の位相測定値及び振幅測定値を出力する。そして、出力された位相測定値及び振幅測定値に基づいて硬貨２の識別が行われる。以下、各手段について詳細に説明する。
【００２２】
［共振回路順次駆動手段］
共振回路順次駆動手段は、駆動させる共振回路７の一端側を、所定時間電源ＶＣＣに接続して当該共振回路７を駆動させた後、グランドに接続して当該共振回路７から振動減衰波を出力させる。具体的には、駆動させる共振回路７の一端側を、スイッチ素子８を所定時間ＯＮにすることにより（図５の区間ｂ）、所定時間電源ＶＣＣに接続させた後、スイッチ素子９をＯＮにすることにより（図５の区間ｃ）、グランドに接続させる。
【００２３】
共振回路順次駆動手段は、共振回路７を駆動させる前に、当該共振回路７の一端側をグランドに接続させて当該共振回路７の初期バイアス電圧を除去する。具体的には、駆動させる共振回路７の一端側を、スイッチ素子９を所定時間ＯＮにすることにより（図５の区間ａ）、グランドに接続させる。なお、初期バイアス電圧は、駆動させる共振回路７の一端側をプルダウン抵抗１１に接続して除去したり、駆動させる共振回路７の中間部をグランドやプルダウン抵抗１１に接続して除去してもよい。
【００２４】
共振回路順次駆動手段は、隣接しない磁気ヘッド４の共振回路７を順次駆動させる。例えば、本実施形態では、図４に示すように、ＣＨ１→ＣＨ３→ＣＨ５→ＣＨ７→ＣＨ４→ＣＨ２→ＣＨ６の順番で駆動させることにより、隣接する磁気ヘッド４間の磁気干渉を防止している。
【００２５】
［位相振幅測定手段］
位相振幅測定手段は、駆動後に共振回路７から出力される振動減衰波の波数をカウントし、該カウント数が所定数に達するまでの時間に基づいて当該振動減衰波の位相Ａを測定する。例えば、本実施形態では、図５に示すように、駆動後に共振回路７から出力される振動減衰波が３に達するまでの時間に基づいて当該振動減衰波の位相Ａを測定している。なお、振動減衰波の振幅測定は、任意の測定方法を用いることができる。例えば、デジタル又はアナログ的なピークホールド処理を行い、該処理により取得されるピーク値に基づいて振幅Ｂを特定する。
【００２６】
［磁気干渉規制手段］
磁気干渉規制手段は、振動減衰波の位相及び振幅を測定した後、当該共振回路７が次回駆動されるまでの間、当該共振回路７の一端側を開放させることで他の共振回路７との磁気干渉を規制する。具体的には、共振回路７の一端側を、すべてのスイッチ素子８、９、１０をＯＦＦにすることにより（図５の区間ｅ）、開放させる。なお、このような磁気干渉規制は、共振回路７の一端側又は中間部をプルダウン抵抗１１に接続したり、共振回路７の中間部を開放しても可能である。
【００２７】
磁気干渉規制手段は、振動減衰波の位相及び振幅を測定した後、当該共振回路７の一端側をプルダウン抵抗１１に接続させて当該共振回路７の残留エネルギーを除去し、その後、当該共振回路７の一端側を開放させる。具体的には、共振回路７の一端側を、スイッチ素子１０を所定時間ＯＮにすることにより（図５の区間ｄ）、プルダウン抵抗１１に接続させ、その後、すべてのスイッチ素子８、９、１０をＯＦＦにすることにより（図５の区間ｅ）、開放させる。
【００２８】
［マイコンの処理手順］
つぎに、上記のような各種手段を実現するマイコン６の処理手順について、図６〜図８を参照して説明する。
【００２９】
図６は、メインルーチンを示すフローチャートである。
図６に示すように、マイコン６は、起動時に初期設定を実行した後（Ｓ１１）、以下に示すループ処理を実行する。
【００３０】
マイコン６は、ループ処理の最初に、チャンネル（ＣＨ）の番号Ｍをセットする（Ｓ１２：共振回路順次駆動手段）。これは、図４に示す駆動順序にしたがって行われる。つぎに、Ｍチャンネルの共振回路７の一端側を所定時間グランドに接続した後（Ｓ１３：共振回路順次駆動手段）、Ｍチャンネルの共振回路７の一端側を所定時間電源ＶＣＣに接続し（Ｓ１４：共振回路順次駆動手段）、その後、Ｍチャンネルの共振回路７の一端側をグランドに接続させる（Ｓ１５：共振回路順次駆動手段）。これにより、Ｍチャンネルの共振回路７から共振減衰波が出力され、マイコン６に入力される。
【００３１】
マイコン６は、Ｍチャンネルの共振回路７から出力される共振減衰波の位相測定及び振幅測定を行う（Ｓ１６、Ｓ１７：位相振幅測定手段）。その具体的な測定処理手順は後述する。位相測定及び振幅測定が終了したら（Ｓ１８）、Ｍチャンネルの共振回路７の一端側を所定時間プルダウン抵抗１１に接続させた後（Ｓ１９：磁気干渉規制手段）、Ｍチャンネルの共振回路７の一端側を開放させる（Ｓ２０：磁気干渉規制手段）。これにより、１チャンネル分の測定処理が終わり、これをチャンネル番号を変更しながら、すべてのチャンネルに対して実行する。そして、すべてのチャンネルの測定が終了したら（Ｓ２１）、全チャンネルの位相測定値及び振幅測定信号をマイコン６から出力するとともに（Ｓ２２：測定値出力手段）、チャンネル番号Ｍ及び測定値をクリアしてループ処理の先頭（Ｓ１２）に戻る（Ｓ２３）。
【００３２】
図７は、位相測定ルーチンを示すフローチャートである。
位相測定では、まず、測定開始（振動減衰波の１波目入力）か否かを判断し（Ｓ３１）、この判断結果がＹＥＳの場合は、時間計測タイマをセットする（Ｓ３２）。タイマセット後は、振動減衰波の波数をカウントするとともに（Ｓ３３）、カウント波数が所定数Ｎ（本実施形態では３）に達したか否かを判断する（Ｓ３４）。この判断結果がＮＯのあいだは振動減衰波の波数カウントを継続するが、カウント波数が所定数Ｎになったら、時間計測タイマ値を取得するとともに（Ｓ３５）、取得したタイマ値を位相測定値にセットし（Ｓ３６）、その後、カウント波数及びタイマをクリアして測定終了とする（Ｓ３７）。
【００３３】
図８は、振幅測定ルーチンを示すフローチャートである。
振幅測定では、カウント波数が（Ｎ−１）に達したか否かを判断し（Ｓ４１）、この判断結果がＹＥＳの場合は、振動減衰波のピークホールド処理を開始する（Ｓ４２）。さらに、カウント波数がＮに達したか否かを判断し（Ｓ４３）、この判断結果がＹＥＳになったら、ピーク値を取得し（Ｓ４４）、これを振幅測定値にセットする（Ｓ４５）。
【００３４】
叙述の如く構成された本実施形態によれば、硬貨２が通過する硬貨通過経路３に配置され、通過する硬貨２の識別要素を磁気的に測定する硬貨識別用磁気アレイセンサ１であって、硬貨通過経路３を通過する硬貨３の表面に沿って並ぶ複数の磁気ヘッド４と、各磁気ヘッド４に巻装されたコイル４ｂと、各コイル４ｂにそれぞれコンデンサＣを接続して構成される複数の共振回路７と、各共振回路７を所定の順番で間欠的に駆動させる共振回路順次駆動手段と、駆動後に各共振回路７から出力される振動減衰波の位相及び振幅を測定する位相振幅測定手段と、振動減衰波の位相及び振幅を測定した後、当該共振回路７が次回駆動されるまでの間、当該共振回路７の一端側又は中間部を開放、又は当該共振回路７の一端側又は中間部をプルダウン抵抗１１に接続させることで他の共振回路７との磁気干渉を規制する磁気干渉規制手段と、各共振回路７に係る振動減衰波の位相測定値及び振幅測定値を出力する測定値出力手段と、を備え、位相振幅測定手段は、駆動後に共振回路７から出力される振動減衰波の波数をカウントし、該カウント数が所定数に達するまでの時間に基づいて当該振動減衰波の位相を測定する。
【００３５】
このような硬貨識別用磁気アレイセンサ１によれば、複数の磁気ヘッド４に巻装されたコイル４ｂにそれぞれコンデンサＣを接続して複数の共振回路７を構成し、各共振回路７を所定の順番で間欠的に駆動させ、駆動後に各共振回路７から出力される振動減衰波の位相変化及び振幅変化を硬貨２の識別に利用するので、硬貨２の識別精度を飛躍的に高めることができる。すなわち、駆動後に各共振回路７から出力される振動減衰波は、駆動信号に影響されることなく、通過する硬貨２の磁気特性に応じた位相及び振幅で自由に振動するので、振動減衰波の位相変化及び振幅変化に基づいて硬貨２の磁気特性を高精度に測定し、当該硬貨２を高精度に識別することが可能になる。
【００３６】
また、振動減衰波の位相及び振幅を測定した後、当該共振回路７が次回駆動されるまでの間、当該共振回路７と他の共振回路７との磁気干渉を規制するので、磁気干渉に起因する測定精度の低下も回避できる。
【００３７】
また、駆動後に共振回路７から出力される振動減衰波の波数をカウントし、該カウント数が所定数に達するまでの時間に基づいて当該振動減衰波の位相を測定するので、高精度な位相測定が要求される場合は、カウント数を多くし、位相変化を蓄積してから測定する一方、応答性が優先される場合は、カウント数を少なくするなど、要求に応じて測定精度や応答性を容易に変更することが可能になる。
【００３８】
また、磁気干渉規制手段は、振動減衰波の位相及び振幅を測定した後、当該共振回路の一端側又は中間部をプルダウン抵抗１１に接続させて当該共振回路７の残留エネルギーを除去し、その後、当該共振回路７の一端側又は中間部を開放させるので、残留エネルギーによる測定精度の低下を回避できる。
【００３９】
また、共振回路順次駆動手段は、共振回路７を駆動させる前に、当該共振回路７の一端側又は中間部をグランド又はプルダウン抵抗１１に接続させて当該共振回路７の初期バイアス電圧を除去するので、初期バイアス電圧による測定精度の低下を回避できる。
【００４０】
また、共振回路順次駆動手段は、駆動させる共振回路７の一端側を、所定時間電源ＶＣＣに接続して当該共振回路７を駆動させた後、グランドに接続して当該共振回路７から振動減衰波を出力させるので、駆動用コイルを別途設ける必要がない。
【００４１】
また、共振回路順次駆動手段は、隣接しない磁気ヘッド４の共振回路７を順次駆動させるので、共振回路７同士の磁気干渉をより確実に防止することが可能になる。
【符号の説明】
【００４２】
１  硬貨識別用磁気アレイセンサ
２  硬貨
３  硬貨通過経路
４  磁気ヘッド
４ａ  コア
４ｂ  コイル
５  検出回路
６  マイコン
７  共振回路
８〜１０  スイッチ素子
１１  プルダウン抵抗
【図１】
0006419047.tif 000002
【図２】
0006419047.tif 000003
【図３】
0006419047.tif 000004
【図４】
0006419047.tif 000005
【図５】
0006419047.tif 000006
【図６】
0006419047.tif 000007
【図７】
0006419047.tif 000008
【図８】
0006419047.tif 000009